(57)【特許請求の範囲】
【請求項１】
砥粒と液体とを混合したスラリを被処理物に噴射するウエットブラスト装置であって、前記被処理物を収納する処理ケース内に手を挿入する手挿入部が設けられ、前記処理ケース内には手持ち式のノズル体が設けられ、このノズル体は圧搾空気供給部から供給される圧搾空気とともに、この圧搾空気によりスラリ収納容体内から吸引された前記スラリが噴射されるように設けられており、前記処理ケース体の下部には噴射済みスラリを排出するスラリ排出部が設けられ、このスラリ排出部には該スラリ排出部から排出される噴射済みスラリを回収するスラリ回収容体が設けられ、このスラリ回収容体は前記ノズル体へ前記スラリを供給する前記スラリ収納容体と取り換え可能に設けられていることを特徴とするウエットブラスト装置。
【請求項２】
請求項１記載のウエットブラスト装置において、前記スラリ収納容体と前記スラリ回収容体とは互いに取り換え可能な同一形態の容器であることを特徴とするウエットブラスト装置。
【請求項３】
請求項１，２いずれか１項に記載のウエットブラスト装置において、前記スラリ収納容体は複数個用意され、各スラリ収納容体には、材質，粒径などが異なる砥粒が収納されていることを特徴とするウエットブラスト装置。
【請求項４】
請求項３記載のウエットブラスト装置において、前記ノズル体は前記処理ケース内に複数設けられ、この各ノズル体には夫々異なる前記スラリ収納容体に連結されていることを特徴とする特徴とするウエットブラスト装置。
【請求項５】
請求項１〜４いずれか１項に記載のウエットブラスト装置において、前記処理ケース内には前記ノズル体を保持する保持部が設けられていることを特徴とするウエットブラスト装置。
【請求項６】
請求項１〜５いずれか１項に記載のウエットブラスト装置において、卓上に載置し得る基体の上部に前記処理ケースが設けられ、前記基体の下部に前記スラリ回収容体を配設する容体配設部が設けられ、この容体配設部には前記スラリ回収容体の上部開口部を前記スラリ排出部に押圧付勢する付勢体が設けられていることを特徴とするウエットブラスト装置。
【請求項７】
請求項１〜６いずれか１項に記載のウエットブラスト装置において、前記処理ケースは、一対の中空半体を開閉自在に設けて構成されていることを特徴とするウエットブラスト装置。
【発明の詳細な説明】
【技術分野】
【０００１】
本発明は、例えば表面を研磨したい或いは荒らしたい被処理物に対してウエットブラスト処理を行うウエットブラスト装置に関するものである。
【背景技術】
【０００２】
本出願人は、例えば特開２００４−２３０５３５号に開示されるような砥粒と液体とを混合したスラリを被処理物に噴射して該被処理物の表面処理を行うウエットブラスト装置を提案している。
【先行技術文献】
【特許文献】
【０００３】
【特許文献１】特開２００４−２３０５３５号公報
【発明の概要】
【発明が解決しようとする課題】
【０００４】
本出願人は、これまで主に機械部品等の研磨・洗浄といった特殊分野で使用されてきたウエットブラスト処理の汎用性に着目し、例えば歯科技工における義歯の研磨、ジュエリー加工における表面処理、ネールアートにおける爪の洗浄などの分野においてもウエットブラスト処理を手軽に利用できるウエットブラスト装置を開発した。
【課題を解決するための手段】
【０００５】
添付図面を参照して本発明の要旨を説明する。
【０００６】
砥粒２と液体３とを混合したスラリ４を被処理物１に噴射するウエットブラスト装置であって、前記被処理物１を収納する処理ケース５内に手を挿入する手挿入部６が設けられ、前記処理ケース５内には手持ち式のノズル体７が設けられ、このノズル体７は圧搾空気供給部20から供給される圧搾空気とともに、この圧搾空気によりスラリ収納容体10内から吸引された前記スラリ４が噴射されるように設けられており、前記処理ケース体５の下部には噴射済みスラリ４'を排出するスラリ排出部８が設けられ、このスラリ排出部８には該スラリ排出部８から排出される噴射済みスラリ４'を回収するスラリ回収容体９が設けられ、このスラリ回収容体９は前記ノズル体７へ前記スラリ４を供給する前記スラリ収納容体10と取り換え可能に設けられていることを特徴とするウエットブラスト装置に係るものである。
【０００７】
また、請求項１記載のウエットブラスト装置において、前記スラリ収納容体10と前記スラリ回収容体９とは互いに取り換え可能な同一形態の容器であることを特徴とするウエットブラスト装置に係るものである。
【０００８】
また、請求項１，２いずれか１項に記載のウエットブラスト装置において、前記スラリ収納容体10は複数個用意され、各スラリ収納容体10には、材質，粒径などが異なる砥粒２が収納されていることを特徴とするウエットブラスト装置に係るものである。
【０００９】
また、請求項３記載のウエットブラスト装置において、前記ノズル体７は前記処理ケース５内に複数設けられ、この各ノズル体７には夫々異なる前記スラリ収納容体10に連結されていることを特徴とする特徴とするウエットブラスト装置に係るものである。
【００１０】
また、請求項１〜４いずれか１項に記載のウエットブラスト装置において、前記処理ケース５内には前記ノズル体７を保持する保持部12が設けられていることを特徴とするウエットブラスト装置に係るものである。
【００１１】
また、請求項１〜５いずれか１項に記載のウエットブラスト装置において、卓上に載置し得る基体13の上部に前記処理ケース５が設けられ、前記基体13の下部に前記スラリ回収容体９を配設する容体配設部15が設けられ、この容体配設部15には前記スラリ回収容体９の上部開口部９ａを前記スラリ排出部８に押圧付勢する付勢体16が設けられていることを特徴とするウエットブラスト装置に係るものである。
【００１２】
また、請求項１〜６いずれか１項に記載のウエットブラスト装置において、前記処理ケース５は、一対の中空半体５Ａ，５Ｂを開閉自在に設けて構成されていることを特徴とするウエットブラスト装置に係るものである。
【発明の効果】
【００１３】
本発明は上述のように構成したから、ウエットブラスト処理を手元で行う細かい作業にも確実に適用でき、しかも、従来にない構成からコンパクト化及び低コスト化を実現して、従来からウエットブラスト処理が利用されている特殊分野以外の分野に確実に適用でき、その普及が期待される従来にない画期的なウエットブラスト装置となる。
【図面の簡単な説明】
【００１４】
【図１】本実施例を示す斜視図である。
【図２】本実施例を示す側断面図である。
【図３】本実施例の概略説明図である。
【図４】本実施例に係る要部の説明断面図である。
【図５】本実施例に係る要部の説明断面図である。
【図６】本実施例に係る要部の説明断面図である。
【図７】本実施例に係る要部の説明図である。
【図８】本実施例の使用状態説明図である。
【図９】本実施例の概略動作説明図である。
【発明を実施するための形態】
【００１５】
好適と考える本発明の実施形態を、図面に基づいて本発明の作用を示して簡単に説明する。
【００１６】
例えば処理ケース５内に手挿入部６から手を挿入し、一方の手で被処理物１を持ち、他方の手でノズル体７を持ち、ノズル体７から噴射されるスラリ４を被処理物１の表面に噴射してウエットブラスト処理を行う。ノズル体７はスラリ４を噴射する位置を自在に可変できるから、手作業にて被処理物１の任意の位置にスラリ４を噴射させることができる。
【００１７】
この被処理物１に噴射した噴射済みのスラリ４'は、後述するスラリ排出部８から排出されスラリ回収容体９で回収される。
【００１８】
従って、例えば被処理物１とノズル体７とを手で持って被処理物１の任意の位置にウエットブラスト処理が良好に行えることになるから、例えば歯科技工における義歯の研磨、ジュエリー加工における表面処理、ネールアートにおける爪の洗浄などといった手元で行う細かい作業にウエットブラスト処理を適用できる。
【００１９】
ところで、本発明のノズル体７は、圧搾空気供給部20から供給される圧搾空気とともに、この圧搾空気によりスラリ収納容体10ないから吸引された前記スラリ４が噴射されるように設けられている。つまり、スラリ４の噴射は圧搾空気による吸引（差圧）を利用した構成であり、この構成により、前述した従来からウエットブラスト処理が利用されている特殊分野以外の分野へウエットブラスト装置を適用する上で必要なコンパクト化及び低コスト化を確実に実現することができる。
【００２０】
具体的には、従来から提案されるウエットブラスト装置は、スラリ４と圧搾空気とを混合室で混合した後にノズルからスラリ４を噴射する構造であって、スラリ４を高圧で圧送するための大掛かりな装置（動力）が必要であり、これはウエットブラスト装置のコンパクト化及び低コスト化を阻害している。前述したように、従来からウエットブラスト処理が利用されている特殊分野以外の分野に、該ウエットブラスト処理を適用するには、ウエットブラスト装置のコンパクト化及び低コスト化が必須となるが、この点、本発明は、前述した構成から、スラリ４を高圧で圧送するための大掛かりな装置は不要であり、従って、コンパクト化及び低コスト化を確実に実現することができ、よって、例えば歯科技工における義歯の研磨、ジュエリー加工における表面処理、ネールアートにおける爪の洗浄などといった分野においてもウエットブラスト処理を適用できることになる。
【００２１】
ちなみに、この圧搾空気による吸引（圧搾空気が通過する部位とスラリ４が通過する部位との差圧）を利用してスラリ４を噴射する方式は、前述したスラリ４を混合室まで圧送して混合した後に圧搾空気とともに噴射する噴射方式に比しスラリ４の噴射圧は弱いものの、前述した例えば歯科技工における義歯の研磨、ジュエリー加工における表面処理、ネールアートにおける爪の洗浄などといった、前述した従来からウエットブラスト処理が利用されている特殊分野以外の分野において使用するには、十分な噴射圧と言える。
【００２２】
以上、このスラリ４の噴射構造（スラリ４を高圧で圧送するための大掛かりな装置（動力）を不要とする構造）を採用することで、ウエットブラスト装置を構成する各種部品のサイズや部品点数を必要最小限のものとすることができ、よって、コンパクト化及び低コスト化を確実に実現することができる。
【００２３】
また、本発明は、処理ケース体５の下部には噴射済みスラリ４'を排出するスラリ排出部８が設けられ、このスラリ排出部８には該スラリ排出部８から排出される噴射済みスラリ４'を回収するスラリ回収容体９が設けられ、このスラリ回収容体９は、ノズル体７へスラリ４を供給するスラリ収納容体10と取り換え可能に設けられているから、ウエットブラスト装置内をスラリ４を循環させる構造とした際に必要となる大掛かりな装置（ポンプ等の動力源）は不要となり、この点においてもコンパクト化及び低コスト化が実現でき、しかも、スラリ回収容体９はスラリ収納容体10としても使用でき、この構成によっても低コスト化を実現することができる。
【００２４】
以上のように、本発明は、前述した構成を具備することで、ウエットブラスト処理を手元で行う細かい作業に確実に適用でき、しかも、従来にない構成からコンパクト化及び低コスト化を実現して、従来からウエットブラスト処理が利用されている特殊分野以外の分野に確実に適用し得ることになる。
【実施例】
【００２５】
本発明の具体的な一実施例について図面に基づいて説明する。
【００２６】
本実施例は、砥粒２と液体３とを混合したスラリ４を被処理物１に噴射するウエットブラスト装置である。尚、本実施例では、ウエットブラスト処理を行う作業として、例えば歯科技工における義歯の研磨やクラウン（金属製歯）の表面処理、ジュエリー加工における表面処理、ネールアートにおける爪の洗浄などを例示としているが、これらに限られるものではない。
【００２７】
具体的には、本実施例は、ウエットブラスト処理部と、スラリ収納部と、スラリ供給部11と、圧搾空気供給部20を具備している。
【００２８】
ウエットブラスト処理部は、卓上に載置し得る大きさの基体13の上部に処理ケース５を設けるとともに、基体13の下部にスラリ回収容体９を配設し得る容体配設部15を設けて構成されている。尚、基体13は高さ約２６ｃｍ，幅約２８ｃｍ，奥行き約２９ｃｍであり、処理ケース５は直径約３０ｃｍである。
【００２９】
基体13は、図１〜３に図示したように適宜な金属製の部材で形成されており、平面視Ｕ字状の接地部13Ａの後方に支柱部13Ｂを立設して構成されている。
【００３０】
支柱部13Ｂは、背板13ａと該背板13ａの左右に連設する側板13ｂ・13ｂとからなる平断面視コ字状体であり、この支柱部13Ｂの上方部位にはケース載置部14が設けられている。
【００３１】
このケース載置部14は、図１〜３に図示したように適宜な金属製の部材（パイプ材）で環状体14'を設け、この環状体14'を支柱部13Ｂに係る側板13ｂ・13ｂ間に水平状態で溶接して構成されている。
【００３２】
このケース載置部14には、後述する処理ケース５に係る下方半体５Ａが止着部材14ａ（螺着ボルト）を介して載置固定される。
【００３３】
また、支柱部13Ｂには容体配設部15が設けられている。
【００３４】
この容体配設部15は、図１〜３に図示したように適宜な金属製の部材で板状体15'を設け、この板状体15'の基端部を支柱部13Ｂに枢着して構成されている。
【００３５】
具体的には、板状体15'の基端部左右側縁には連結板15ａ・15ａが立設され、この左右の連結板15ａ・15ａ夫々の基端側外面に突設された突部17ａを支柱部13Ｂの左右側板13ｂ・13ｂ夫々に枢着して構成されており、この突部17ａは、連結板15ａ・15ａ同士間に架設される棒材17の両端部で構成されている。
【００３６】
従って、容体配設部15は、支柱部13Ｂに対して基端部を支点として上下方向に擺動自在となる。
【００３７】
また、本実施例では、この容体配設部15の上方への移動を阻止する移動阻止部18が設けられている。
【００３８】
この移動阻止部18は、図１，２に図示したように支柱部13Ｂに係る側板13ｂ・13ｂ夫々の前縁に切欠き凹部18ａを設けるとともに、この切欠き凹部18ａに貫挿される突部18ｂ'を板状体15'に係る連結板15ａ・15ａ夫々の先端側外面に突設して構成されている。
【００３９】
従って、容体配設部15は、後述する付勢体16により上方へ付勢された状態において、移動阻止部18に係る突部18ｂ'が切欠き凹部18ａの上縁に係止することで上方への移動が阻止される。
【００４０】
また、この移動阻止部18に係る突部18ｂ'は、連結板15ａ・15ａ同士間に架設される棒材18ｂの両端部で構成されている。また、付勢体16（コイルバネ）は、支柱部13Ｂに係る側板13ｂ・13ｂの上方所定位置に架設される架設部19と移動阻止部18に係る棒材18ｂとの間に設けられている。
【００４１】
この付勢体16は、容体配設部15に配設された後述するスラリ回収容体９の上部開口部９ａがスラリ排出部８に対して押圧状態となるように付勢するためのものである。
【００４２】
符号13ｃは高さ調整自在な接地体である。
【００４３】
処理ケース５は、一対の中空半体５Ａ，５Ｂ（下方半体及び上方半体）を開閉自在に枢着して構成されている。
【００４４】
下方半体５Ａは、図１〜３に図示したように適宜な合成樹脂製の部材（透明な部材）で形成した中空の球状半体であり、枢着部は奥側であり、ケース載置部14に固着された下方半体５Ａに対して上方半体５Ｂを上方へ擺動させると開口部が上方を向く状態で露出するように構成されている。尚、下方半体５Ａの外面には半透明処理が施されている。
【００４５】
また、下方半体５Ａの下部には所定径を有する円形の貫通孔５ａが設けられ、この貫通孔５ａの周縁には筒状部５ｂが下方に垂設されている。
【００４６】
この筒状部５ｂは、処理ケース５内で噴射済みのスラリ４'を排出するスラリ排出部８であり、このスラリ排出部８に係る筒状部５ｂの上方位置にして下方半体５Ａの内面部位には目皿21が設けられている。
【００４７】
また、下方半体５Ａには手挿入部６が設けられている。
【００４８】
この手挿入部６は、図１，２に図示したように下方半体５Ａの正面左右位置に設けた一対の貫通孔５ｃにゴム製の手袋６Ａを設けて構成されている。
【００４９】
この手袋６Ａは下方半体５Ａ内に配されており、この下方半体５Ａ内に配された手袋６Ａの基端部は貫通孔５ｃの外側縁部に折り返して係止され固定バンド６Ｂで固定されている（図４参照）。
【００５０】
従って、手挿入部６から挿入した手を手袋６Ａに入れ、この手袋６Ａを介した状態でウエットブラスト処理を行うことができる。
【００５１】
また、下方半体５Ａの開口縁部には段状部５ｄが設けられており、この段状部５ｄに後述する上方半体５Ｂの開口縁部を載置し得るように構成されている。
【００５２】
従って、処理ケース５を閉塞状態とした際には、下方半体５Ａと上方半体５Ｂ夫々の開口縁部同士が嵌合状態となり、この縁部同士の重合部位から処理ケース５内で噴射された噴射済みのスラリ４'が漏れることが防止される。
【００５３】
また、下方半体５Ａの後方部位には複数の小孔（図示省略）が設けられており、この各小孔は後述するスラリ供給部11及び圧搾空気供給部20に係る各ホースを貫通する部位である。
【００５４】
上方半体５Ｂは、図１〜３に図示したように適宜な合成樹脂製の部材（透明な部材）で形成した中空の球状半体であり、前述した下方半体５Ａの上部に載置されている。尚、上方半体５Ｂの外面は後述する窓部22を設ける部位を除いた部位に半透明処理が施されている。
【００５５】
また、上方半体５Ｂの正面位置には円形の透明部が設けられており、この透明部は、処理ケース５の外部から内部を見るための窓部22である。
【００５６】
また、上方半体５Ｂは、外面後方位置に凹部５ｅが設けられており、この凹部５ｅには排気構造部23が設けられている。
【００５７】
この排気構造部23は、図２に図示したように上方半体５Ｂの凹部５ｅ底面に貫通状態に配される筒状体23Ａと、この筒状体23Ａの一端部を被覆し上方半体５Ｂの内面側に配される内側ボックス状体23Ｂと、この筒状体23Ａの他端部を被覆し上方半体５Ｂの外面側に配される外側ボックス状体23Ｃとで構成されている。
【００５８】
従って、上方半体５Ｂ（処理ケース５）の内部と外部とは、内側ボックス状体23Ｂ,筒状体23Ａ及び外側ボックス状体23Ｃから成る排気通路で連通されている。尚、符号24は排気構造部23を隠蔽するカバー体であり、このカバー体24の一部も排気構造部に係る排気通路を構成する。
【００５９】
また、筒状体23Ａにおける上方半体５Ｂの内面側に配される部位にはフィルター（図示省略）が設けられ、一方、上方半体５Ｂの外面側に配される部位には排気ファン（図示省略）が設けられており、この排気ファンにより処理ケース５内の空気は、内側ボックス状体23Ｂ,筒状体23Ａ及び外側ボックス状体23Ｃから成る排気通路を通過して外部へ排気されることになる。
【００６０】
また、外側ボックス状体23Ｃは、前述した支柱部13Ｂの上部に蝶番25を介して枢着されている。
【００６１】
従って、上方半体５Ｂはこの枢着部を支点として支柱部13Ｂの上部で擺動自在となり、下方半体５Ａに対して上下方向に擺動して開閉自在となる。
【００６２】
また、内側ボックス状体23Ｂには、後述するノズル体７を保持する保持部12が複数（３つ）設けられている。
【００６３】
この保持部12は、内側ボックス状体23Ｂの外面に設けられるリング部材で構成されており、この保持部12にノズル体７に設けられる係止部７ｅを係止させることで該ノズル体７を係止保持し得ることになる。
【００６４】
符号26は照明部、27は上方半体５Ｂを開閉する際に摘む摘み部である。
【００６５】
ノズル体７は、図２，３，５，６に図示したように適宜な金属製の部材をペン形状に形成したものであり、内部にスラリ通過路７ａと圧搾空気通過路７ｂが設けられている。
【００６６】
スラリ通過路７ａの基端部には後述するスラリ供給部11が連設され、圧搾空気通過路７ｂの基端部には後述する圧搾空気供給部20が連設され、このスラリ通過路７ａと圧搾空気通過路７ｂとは先端部同士がスラリ噴射孔７ｃの近傍位置で連設している。
【００６７】
従って、圧搾空気を圧搾空気通過路７ｂを介してスラリ噴射孔７ｃから噴射させることでスラリ通過路７ａは負圧となり、後述するスラリ収納容体10に収納されたスラリ４は、スラリ供給部11を介して吸引されてスラリ噴射孔７ｃから噴射されることになる。
【００６８】
また、圧搾空気通過路７ｂには開閉弁７ｄが設けられており、この開閉弁７ｄにはノズル体７の外部に突出した押圧部７ｄ’が設けられ、この押圧部７ｄ’をバネ28の付勢に抗して押圧することで圧搾空気通過路７ｂは閉塞状態から開放状態となる（図６参照）。
【００６９】
符号７ｅは前述した保持部12に係止する鉤状の係止部である。
【００７０】
本実施例では、このノズル体７は処理ケース５内に複数（３つ）収納されており、スラリ収納部に収納されたスラリ４が噴射される構成である。
【００７１】
スラリ収納部は、台本体29と、この台本体29の上面に載置されるスラリ収納容体10とで構成されている。
【００７２】
台本体29は、図１，３に図示したように適宜な金属製の部材で形成したものであり、その上面にスラリ収納容体10を複数（３つ）載置し得る載置面が設けられている。
【００７３】
また、台本体29にはスラリ攪拌部30が設けられている。
【００７４】
このスラリ攪拌部30は、図１，３，７に図示したようにスラリ収納容体10の上部開口部を閉塞する閉塞体30ａを台本体29に前後方向に擺動自在に枢着し、この閉塞体30ａに攪拌羽根30ｂ'が垂設されるモーター30ｂを設けて構成されており、台本体29の正面に設けたスイッチ30ｃの操作によりＯＮ・ＯＦＦする。符号30ｃ'は照明部26をＯＮ・ＯＦＦするスイッチである。
【００７５】
従って、閉塞体30ａを擺動させて台本体29の載置面に載置したスラリ収納容体10に攪拌羽根30ｂ'を出し入れすることができ（図７参照）、また、このスラリ攪拌部30でスラリ収納容体10内に収納されたスラリ４を攪拌することでノズル体７から噴射されるスラリ４の濃度を均一に保つことができる。
【００７６】
また、台本体29の側部には、圧搾空気ノズル20ｃが設けられており、この圧搾空気ノズル20ｃには、後述する圧搾空気供給装置20ａから圧搾空気を導入する１つの導入部と、この導入部から導入された圧搾空気を導出する複数（３つ）に分岐した導出部とを具備する。
【００７７】
スラリ収納容体10は、図１〜３に図示したように所定容量を有する透明ガラス製の瓶（ポット）で構成されたものであり、前述した閉塞体30ａにより閉塞される上部開口部10ａを有する。
【００７８】
本実施例では、スラリ収納容体10を複数（３つ）用意しており、この各スラリ収納容体10に収納されるスラリ４は、砥粒２と液体３との混合物であり、各スラリ収納容体10には異なる径の砥粒２が混合されたスラリ４が収納されている。尚、砥粒２としては微粒子のアルミナが採用され、液体３としては水が採用されているが、これに限られるものではない。
【００７９】
スラリ供給部11は、図１，３に図示したように適宜な合成樹脂製のスラリ供給ホース11ａ，11ｂ，11ｃで構成されており、この各スラリ供給ホース11ａ，11ｂ，11ｃの一端部はスラリ収納容体10内に配され、他端部はノズル体７に接続される。
【００８０】
本実施例では、各スラリ供給ホース11ａ，11ｂ，11ｃを色付きとしてその色を異ならせており、各スラリ収納容体10内に収納されるスラリ４の条件（スラリ４を構成する砥粒２の径を異ならせたり、スラリ４の濃度を異ならせたり、また、砥粒２の材質を異ならせたりする。）を異ならせた場合には、このノズル体７に接続されるスラリ供給ホース11ａ，11ｂ，11ｃの色を見てスラリ４の条件を簡易に確認することができる。
【００８１】
圧搾空気供給部20は、図１，３に図示したように圧搾空気供給装置20ａ（コンプレッサー）と、この圧搾空気供給装置20ａから供給される圧搾空気をノズル体７まで搬送する圧搾空気搬送ホースとで構成されている。
【００８２】
圧搾空気搬送ホースは、圧搾空気供給装置20ａから延設され台本体29の圧搾空気ノズル20ｃに係る導入部に接続される第一ホース20ｂと、圧搾空気ノズル20ｃに係る三つの導出部夫々に接続される第二ホース20ｂ'とで構成されている。尚、圧搾空気搬送ホースとしては前述したスラリ供給部11に係る各スラリ供給ホース11ａ，11ｂ，11ｃと異なる色（透明）のホースが採用されている。
【００８３】
従って、一つの圧搾空気供給装置20ａから３つのノズル体７に圧搾空気が供給されるように構成されており、圧搾空気供給部20から供給される圧搾空気がノズル体７から噴射され、且つ、この圧搾空気によりスラリ収納容体10に収納されたスラリ４が吸引されて該圧搾空気とともにノズル体７から噴射されることになる。
【００８４】
尚、圧搾空気供給部20は、例えば歯科医などに既に設置されるコンプレッサーを使用するようにしても良い。
【００８５】
スラリ回収容体９は、図１〜３に図示したように所定容量を有する透明ガラス製の瓶（ポット）で構成されたものであり、前述したスラリ収納容体10と同形態（同構造）である。
【００８６】
このスラリ回収容体９は、容体配設部15に載置した際、付勢体16により付勢されて上部開口部９ａがスラリ排出部８（筒状部５ｂ）の周囲に被嵌し得るように構成されている。
【００８７】
従って、スラリ回収容体９は、スラリ排出部８から排出される噴射済みのスラリ４'を回収することができ、また、スラリ収納容体10と取り換えて該スラリ収納容体10として使用することができる。一方、スラリ収納容体10は、スラリ回収容体９と取り換えて該スラリ回収容体９として使用することができる。
【００８８】
以上の構成から成るウエットブラスト装置によるウエットブラスト処理について説明する。
【００８９】
先ず、処理ケース５内に左右の手挿入部６から両手を挿入し、一方の手で被処理物１を持ち、他方の手でノズル体７を持つ。ノズル体７はスラリ４を構成する砥粒２の種類やスラリ４の濃度等を考慮してウエットブラスト処理に適したノズル体７を選択する。例えば荒削り、中仕上げ、仕上げといった３種類のスラリ４が用意される。
【００９０】
続いて、ノズル体７の押圧部７ｄを押圧して、スラリ４を噴射させて該スラリ４を被処理物１の表面に噴射してウエットブラスト処理を行う（図８参照）。ノズル体７はスラリ４を噴射する位置を自在に可変して、被処理物１の任意の位置にスラリ４を噴射させる。
【００９１】
この被処理物１に衝突した噴射済みのスラリ４'は、後述するスラリ排出部８から排出されスラリ回収容体９で回収される（図９参照）。
【００９２】
スラリ収納容体10のスラリ４が無くなった後も同じスラリ４で処理する場合には、この同一形態であるスラリ収納容体10とスラリ回収容体９とを取り替えて、引き続きウエットブラスト処理を続ける。このことから、スラリ４の移し替え等の煩わしい作業がなくなる。
【００９３】
尚、スラリ収納容体10のスラリ４を全て同一のスラリ４としても良く、この場合、同一のスラリ４を多量に噴射させることができる（例えば複数人に対して行われ衛生が要求されるネイル処理に適することになる。）。
【００９４】
本実施例は上述のように構成したから、被処理物１とノズル体７とを手で持って被処理物１の任意の位置にウエットブラスト処理が良好に行えることになるから、例えば歯科技工における義歯の研磨、ジュエリー加工における表面処理、ネールアートにおける爪の洗浄などといった手元で行う細かい作業にウエットブラスト処理を適用できる。
【００９５】
また、本実施例は、スラリ４の噴射構造（スラリ４を高圧で圧送するための大掛かりな装置（動力）を不要とする構造）を採用することで、ウエットブラスト装置を構成する各種部品のサイズや部品点数を必要最小限のものとすることができ、よって、コンパクト化及び低コスト化を確実に実現することができる。
【００９６】
また、本実施例は、スラリ回収容体９はノズル体７へスラリ４を供給するスラリ収納容体10と取り換え可能に設けられているから、ウエットブラスト装置内をスラリ４を循環させる構造とした際に必要となる大掛かりな装置（ポンプ等の動力源や削り屑を除去する装置）は不要となり、この点においてもコンパクト化及び低コスト化が実現でき、しかも、スラリ回収容体９はスラリ収納容体10としても使用でき、この構成によっても低コスト化を実現することができる。
【００９７】
また、ウエットブラスト装置内をスラリ４を循環させる構造とした場合には、複数のスラリ４を使用しようとすると、別のスラリ４による処理へ移行する際には、洗浄作業が必要となるが、この点、本実施例であれば前述した問題が生じることはない。
【００９８】
よって、本実施例によれば、前述した構成を具備することで、ウエットブラスト処理を手元で行う細かい作業に確実に適用でき、しかも、従来にない構成からコンパクト化及び低コスト化を実現して、従来からウエットブラスト処理が利用されている特殊分野以外の分野に確実に適用できることになる。
【００９９】
また、本実施例は、ノズル体７は処理ケース５内に複数設けられ、この各ノズル体７には夫々異なるスラリ収納容体10に連結されているから、簡易且つ迅速に最適な条件のスラリ４を選択してウエットブラスト処理することができる。
【０１００】
また、本実施例は、処理ケース５内にはノズル体７を保持する保持部12が設けられているから、処理ケース５内が乱雑にならず、この点においても簡易且つ迅速に最適な条件のスラリ４を選択してウエットブラスト処理することができる。
【０１０１】
また、本実施例は、容体配設部15にはスラリ回収容体９の上部開口部９ａをスラリ排出部８に押圧付勢する付勢体16が設けられているから、処理ケース５内で噴射された噴射済みスラリ４が漏れるのを可及的に防止して良好に回収することができる。
【０１０２】
また、本実施例は、処理ケース５は、一対の中空半体５Ａ，５Ｂを開閉自在に設けて構成されているから、簡易構造にしてコスト安にして量産性に秀れることになる。
【０１０３】
本発明は、本実施例に限られるものではなく、各構成要件の具体的構成は適宜設計し得るものである。
【符号の説明】
【０１０４】
１  被処理物
２  砥粒
３  液体
４  スラリ
４'  スラリ
５  処理ケース
５Ａ  中空半体
５Ｂ  中空半体
６  手挿入部
７  ノズル体
８  スラリ排出部
９  スラリ回収容体
９ａ  上部開口部
10  スラリ収納容体
12  保持部
13  基体
15  容体配設部
16  付勢体
20  圧搾空気供給部
【図１】
0005437829.tif 000002
【図２】
0005437829.tif 000003
【図３】
0005437829.tif 000004
【図４】
0005437829.tif 000005
【図５】
0005437829.tif 000006
【図６】
0005437829.tif 000007
【図７】
0005437829.tif 000008
【図８】
0005437829.tif 000009
【図９】
0005437829.tif 000010